(57)【要約】      （修正有）【課題】固形薬剤の補給時期を正確に検知できる薬剤溶解器の提供。【解決手段】薬剤装填容器２、薬液を貯留することができる薬剤溶解器本体１、水を外部から薬剤溶解器本体に供給する供給管３、薬液を薬剤溶解器本体から外部に排出する排出管５、磁性を帯びた材料若しくは磁気に感応する材料からなる落し蓋Ａ、および磁気型近接センサＢを有し、薬剤装填容器は薬剤溶解器本体の上部に設けられ、薬剤装填容器内部と薬剤溶解器本体内部とが連通しており、薬剤装填容器内に固形薬剤１１が垂直方向に積み重ねて装填され、供給された水が薬剤装填容器内に装填された固形薬剤に触れ固形薬剤が溶けて薬液が得られ、これに伴って固形薬剤が順繰りに下方へ移動するようになっており、前記の積み重ねられた固形薬剤の上に落し蓋を載せ、該落し蓋が固形薬剤の下方への移動に伴って下方へ移動するようになっていて、前記磁気型近接センサが該落し蓋の移動状態を通知する。【選択図】図１
2013240778.tif 000002
【特許請求の範囲】
【請求項１】
薬剤装填容器、
薬液を貯留することができる薬剤溶解器本体、
水を外部から薬剤溶解器本体に供給する供給管、
薬液を薬剤溶解器本体から外部に排出する排出管、
磁性を帯びた材料若しくは磁気に感応する材料からなる落し蓋、および
磁気型近接センサを有し、
薬剤装填容器は、薬剤溶解器本体の上部に設けられ、薬剤装填容器内部と薬剤溶解器本体内部とが連通しており、
薬剤装填容器内に固形薬剤が垂直方向に積み重ねて装填され、供給された水が薬剤装填容器内に装填された固形薬剤に触れ固形薬剤が溶けて薬液が得られ、これに伴って固形薬剤が順繰りに下方へ移動するようになっており、
前記の積み重ねられた固形薬剤の上に落し蓋を載せ、該落し蓋が固形薬剤の下方への移動に伴って下方へ移動するようになっていて、前記磁気型近接センサが該落し蓋の移動状態を通知する、薬剤溶解器。
【請求項２】
固形薬剤が円柱状であり、落し蓋が円柱状または円環体状である、請求項１に記載の薬剤溶解器。
【請求項３】
薬剤装填容器は、上部開口を塞ぐ外蓋を有し、該外蓋の内側に前記落し蓋が紐状体で繋がっている、請求項１または２に記載の薬剤溶解器。
【発明の詳細な説明】
【技術分野】
【０００１】
本発明は薬剤溶解器に関する。より詳細に、本発明は、固形薬剤を水で溶解し一定濃度の薬液を製造し、固形薬剤の補給時期を正確に検知できる薬剤溶解器に関する。
【背景技術】
【０００２】
生活排水、産業排水、プール循環水、浴場循環湯などの水は、次亜塩素酸カルシウムやトリクロルイソシアヌル酸などの塩素化剤を用いて雑菌消毒処理を行い、放流または循環使用される。この処理において、水の雑菌消毒を有効に行うためには、塩素化剤などの薬剤を定量的に水に溶解させることが要求される。
【０００３】
固形薬剤を水に溶解させる装置として、例えば、特許文献１には、外部から水が供給される可溶性材料室と、その下部に設けられた排出口とを有し、可溶性材料室の上側から下に向かって可溶性材料が配置され、外部からの水の供給を調整して可溶性材料室内の液面を上下させ可溶性材料に周期的に接触させる仕組みを備えた化学剤供給装置が記載されている。
【０００４】
特許文献２には、捕集リザーバーと、その上に設けられた浸食リザーバーと、さらにその上に設けられた薬剤を収容するキャニスターとからなり、水が浸食リザーバー内に供給され、浸食リザーバーを溢出した水が捕集リザーバーに流入し、さらに捕集リザーバーから外部に排出され、キャニスター内に収容された薬剤エレメントの下部が浸食リザーバー内の水と接触し、薬剤エレメントが浸食且つ溶解される、薬品供給装置が開示されている。この薬剤エレメントは溶解浸食が進むと自重によって下方に移動するようになっている薬品供給装置が開示されている。
【０００５】
特許文献３には、垂直状薬筒に打錠成型された塩素剤を多数個充填し、該薬筒の上方部から散水して、水を塩素剤の表面に沿って流下させ、下部から薬液を取りだす構成の溶解装置が記載されている。
特許文献４には、目皿によって内部が上層と下層とに仕切られた薬剤溶解槽からなり、上層に固形薬剤をランダムに充填し、上向きにスプレーするノズルから水を供給して固形薬剤を溶解し、下層に薬剤溶解水を貯め、薬剤溶解槽の底部からポンプで排水でき、貯められた薬剤溶解水の液面が目皿の下になるようにされた固形薬剤溶解装置が記載されている。
【０００６】
特許文献５には、薬剤装填容器、薬液を貯留することができる薬剤溶解器本体、水を外部から薬剤溶解器本体に供給する供給管、および薬液を薬剤溶解器本体から外部に排出する排出管、を有し、薬剤装填容器は薬剤溶解器本体の上部に設けられ、薬剤装填容器内部と薬剤溶解器本体内部とが連通しており、薬剤装填容器内に固形薬剤を垂直方向に整列して装填するようになっており、供給管はその出口が薬剤溶解器本体内において上向きに取り付けられ、該供給管出口から出た水が薬剤装填容器内に装填された固形薬剤に触れるように配置されており、固形薬剤に触れた水によって薬剤が溶けて薬液が得られる、薬剤溶解器が開示されている。
【先行技術文献】
【特許文献】
【０００７】
【特許文献１】特表平４−５００１７１号公報
【特許文献２】特表平６−５０１４１８号公報
【特許文献３】特公昭５９−１３８９０号公報
【特許文献４】特開平８−１５５４６５号公報
【特許文献５】特開２００９−１７２５８４号公報
【発明の概要】
【発明が解決しようとする課題】
【０００８】
これらの装置では、装置の排出管から出てくる薬液の濃度を測定することによって、固形薬剤の消費状態を確認することができるが、薬液濃度が低下したことに気付いた時には、すでに固形薬剤は全て消費されてしまっている。
本発明の目的は、固形薬剤を水で溶解し一定濃度の薬液を製造し、固形薬剤の補給時期を正確に検知できる薬剤溶解器を提供することである。
【課題を解決するための手段】
【０００９】
本発明者は、前記目的を達成するために鋭意検討した結果、以下の態様を含む発明を完成するに至った。
〔１〕  薬剤装填容器、  薬液を貯留することができる薬剤溶解器本体、  水を外部から薬剤溶解器本体に供給する供給管、  薬液を薬剤溶解器本体から外部に排出する排出管、  磁性を帯びた材料若しくは磁気に感応する材料からなる落し蓋、および  磁気型近接センサを有し、
薬剤装填容器は、薬剤溶解器本体の上部に設けられ、薬剤装填容器内部と薬剤溶解器本体内部とが連通しており、
薬剤装填容器内に固形薬剤が垂直方向に積み重ねて装填され、供給された水が薬剤装填容器内に装填された固形薬剤に触れ固形薬剤が溶けて薬液が得られ、これに伴って固形薬剤が順繰りに下方へ移動するようになっており、
前記の積み重ねられた固形薬剤の上に落し蓋を載せ、該落し蓋が固形薬剤の下方への移動に伴って下方へ移動するようになっていて、前記磁気型近接センサが該落し蓋の移動状態を通知する、薬剤溶解器。
〔２〕  固形薬剤が円柱状であり、落し蓋が円柱状または円環体状である、〔１〕に記載の薬剤溶解器。
〔３〕  薬剤装填容器は、上部開口を塞ぐ外蓋を有し、該外蓋の内側に前記落し蓋が紐状体で繋がっている、〔１〕または〔２〕に記載の薬剤溶解器。
【発明の効果】
【００１０】
本発明の薬剤溶解器によれば、固形薬剤を水で溶解して一定濃度の薬液を製造でき、且つ固形薬剤の補給時期を正確に検知できる。
本発明の薬剤溶解器は、生活排水、産業排水、プール循環水、浴場循環湯などの水の雑菌消毒処理に好適である。
【図面の簡単な説明】
【００１１】
【図１】本発明に係る薬剤溶解器の一実施態様を示す図である。
【図２】本発明に係る薬液溶解器の使用例を示す図である。
【図３】薬筒内の固形薬剤の溶解浸食に伴って落し蓋が下方に順繰りに移動していく様子を示す図である。
【図４】薬液供給装置の設計に使用する容積の範囲を示す図である。
【図５】落し蓋を取り出すための治具の一例を示す図である。
【発明を実施するための形態】
【００１２】
以下、図面を参照しながら本発明を説明する。ただし、本発明は図面に示したものに限定されず、本発明の趣旨および範囲において形状等を変えたものを含む。
【００１３】
図１に示すように、本発明の薬剤溶解器Ｓは、薬剤装填容器２、薬液を貯留することができる薬剤溶解器本体１、水を外部から薬剤溶解器本体に供給する供給管３、薬液を薬剤溶解器本体から外部に排出する排出管５、落し蓋Ａ，および磁気型近接センサＢ、を有する。
【００１４】
薬剤装填容器２は、薬剤溶解器本体１の上部に設けられる。そして、薬剤装填容器内部と薬剤溶解器本体内部とは連通している。
また、薬剤装填容器２は、固形薬剤を垂直方向に積み重ねて装填できるようになっている。薬剤装填容器は、その外形が、通常、円筒または角筒をなしている。固形薬剤１１はそのまま薬剤装填容器に装填してもよいが、例えば、図３に示すような、底が目皿１３で閉じられた筒（薬筒８）に、円柱状に成型された固形薬剤１１を装填し、その薬筒８を薬剤装填容器２内に挿入してもよい。
【００１５】
固形薬剤の形状および大きさは、ブリッジを形成しないものであれば、特に限定されない。例えば、薬剤装填容器または薬筒の内部形状に応じて、円柱形、角柱形などにすることができる。薬剤装填容器、薬筒、及び固形薬剤が円柱状であると、取り扱いが容易である。固形薬剤１１は、薬剤装填容器２に垂直方向に複数個を積み重ねて装填できる円柱平板状のものが好ましい。固形薬剤１１の大きさは、下部の固形薬剤が溶解浸食したときに、上部の固形薬剤が、垂直方向に積み重なった状態を保ったまま順繰りに下方に移動できる大きさであることが好ましい。薬剤装填容器または薬筒８の内寸に比べ、固形薬剤が小さすぎると、固形薬剤を装填する時や順繰りに下方に移動する時に、固形薬剤の積み重ねが崩れて、ブリッジを形成するおそれがある。また薬剤装填容器もしくは薬筒の内寸と固形薬剤の大きさが同じか、または薬剤装填容器もしくは薬筒の内壁と固形薬剤との間の隙間が少ない場合には、固形薬剤がわずかに膨潤するだけで、固形薬剤が前記内壁に密着して、下方に移動し難くなるおそれがある。
適用可能な固形薬剤の種類は、特に限定されない。例えば、次亜塩素酸カルシウムなどの無機塩素化剤、トリクロロイソシアヌル酸、ジクロロイソシアヌル酸、ジクロロイソシアヌル酸ナトリウム、ジクロロイソシアヌル酸カリウムなどの有機塩素化剤などが挙げられる。
【００１６】
薬剤装填容器に装填した固形薬剤が薬剤溶解器本体内に落下しないように、薬剤装填容器の底を目皿で閉じても良い。また前記の薬筒８を用いる場合には、薬筒が薬剤溶解器本体内に落下しないように、薬筒の上部に薬剤装填容器の内寸よりも大きなフランジ１２やウイング等を設けて薬剤装填容器の上部の縁で薬筒を固定できるようにしてもよいし、薬剤装填容器の下部に薬筒の外径よりも小さい環状の突起などを設けて薬筒の底部を該突起などに載せることで薬筒を固定できるようにしてもよい。なお、目皿には、多孔板、スリット板、エキスパンドメタル、ワイヤーメッシュ等が用いられる。
【００１７】
本発明においては、図３(a)に示すように、積み重ねられた固形薬剤１１の上に落し蓋Ａを載せる。下部の固形薬剤が水によって溶解し、固形薬剤が下方へ順繰りに移動するのに伴って落し蓋も下方に移動する（図３（b））。
本発明の薬剤溶解器は磁気型近接センサＢを有する。磁気型近接センサＢの設置場所は特に制限されないが、落し蓋が下方に移動してきたことを検知できる位置に磁気型近接センサを設置することが好ましい。磁気型近接センサは薬剤溶解器の外側に設置してもよいし内側に設置してもよい。磁気型近接センサは、ネジ、接着剤、両面粘着テープなどで所定位置に設置することができる。また、磁気型近接センサによる検知位置を任意に調整できるようにするために、面ファスナーや吸盤などで設置してもよいし、レール上を移動し固定できるように設置してもよい。固形薬剤１１が消費されて、固形薬剤１１および落し蓋Ａが順繰りに下方に移動し、落し蓋が磁気型近接センサＢの近くにまで移動してきたとき、磁気型近接センサＢが落し蓋Ａの存在を検知する。この検知によって固形薬剤が所定の量まで減ったことを知らせ、固形薬剤の補給が必要であることを認知することができる。薬剤切れをオペレーターに伝達する手法としては、警報ランプの点灯、ブザーの吹鳴、制御装置のディスプレーでの薬剤切れの表示などを例示することができる。また、薬剤切れ信号は、滅菌システムのインターロック実施などに応用することができる。
【００１８】
固形薬剤がほぼ全て消費された状態になってから、新たな固形薬剤を補給したい場合には、薬剤装填容器２の最下部に磁気型近接センサを設置する。固形薬剤が全て消費される以前に補給したい場合には、薬剤装填容器２の最下部より上部に磁気型近接センサを設置する。また、複数個の磁気型近接センサーを利用して、薬剤残量を段階的に検知することもできる。薬剤装填容器が複数ある場合には、対となっていない他の落し蓋を検知しない様に、磁気型近接センサの設置場所を決めることが好ましい。
磁気型近接センサとしては、市販の任意の磁気型近接センサを用いることができる。磁気型近接センサには、端子台タイプ、コード引き出しタイプなどがあるが、コード引き出しタイプの方が使いやすい場合が多い。
【００１９】
薬剤溶解器Ｓに薬剤装填容器２が複数設置されている場合には、落し蓋は各々の薬剤装填容器に装填された固形薬剤の上に載せることが好ましい。磁気型近接センサは、落し蓋と対になっていることが好ましいが、落し蓋の数よりも少なくても良い。図１は、薬剤装填容器が２つある場合を示している。
【００２０】
落し蓋は、磁性を帯びた材料若しくは磁気に感応する材料からなるものである。磁性を帯びた材料若しくは磁気に感応する材料は、磁気型近接センサが検知できるもので有れば、特に制限はないが、磁性の帯び具合が強すぎるものは、落し蓋が充分に下降する前に磁気型近接センサに検知されたり、対になっていない他の薬剤装填容器に取り付けられている磁気型近接センサに検知されたりすることがある。また逆に磁性の帯び具合が弱すぎるものは、検知精度が落ちる傾向がある。落し蓋の材料としては、固形薬剤またはそれが溶解された薬液によって浸食されないものが好ましい。具体的にはゴム磁石やフェライト磁石からなるものを好ましく用いることができる。落し蓋の形状は、固形薬剤の下方への移動に伴ってスムーズに下降できて、磁気型近接センサで確実に検知される形状であれば、いかなる形状であっても良い。固形薬剤が円柱状である場合には、落し蓋の形状は、円柱状または円環体状が好ましい。落し蓋の大きさは、薬剤装填容器または薬筒の内寸よりも小さいことが好ましい。円環体状落し蓋または環状部分を設置した円柱状落し蓋は、当該環の部分にフックのついた棒状治具を引掛けるなどして、薬剤装填容器または薬筒から容易に取り出すことができる。フック付き棒状治具は薬剤に対して耐性を有する材料で作製するか、または防食コートを施すことが好ましい。落し蓋の厚さと重さは、特に制限はないが、取り扱い易さ、下降のスムーズさ、供給管の出口４からの水圧によって浮き上がらないなどの観点で適宜選択すればよい。
【００２１】
薬剤装填容器２の上部開口は外蓋１４で塞がれている（図１）。外蓋１４を外して、固形薬剤１１、またはそれを装填した薬筒８を薬剤装填容器に挿入できるようになっている。固形薬剤の補給は、磁気検知されていない他の薬剤装填容器を含む薬剤溶解器Ｓ全体を停止して行っても良いし、薬剤補給を必要とする薬剤装填容器のみ停止して、固形薬剤の補給を行っても良い。固形薬剤の補給に際しては、薬剤装填容器または薬筒の底部にある落し蓋を取り出して、固形薬剤を補給する。そして、補給された固形薬剤の上に、再び該落し蓋を載せる。外蓋の内側に紐状体で落し蓋を繋ぐことが好ましい。外蓋を取り外した時に落し蓋が紐状体によって薬剤装填容器内から引き上げられるので、落し蓋の取り出し、固形薬剤の補充および落し蓋の載置をスムーズに行うことができる。また、外蓋１４の代わりに薬筒８に紐状体で落し蓋を繋いでもよい。紐状体は薬剤に対して耐性を有する材料で作製するか、または防食コートを施すことが好ましい。空になった薬筒８を取り出すときに落し蓋を一緒に回収することができる。紐状体としては、固形薬剤またはそれが溶解された薬液によって浸食されないものが好ましい。
【００２２】
また、紐状体で落し蓋を取り出す代わりに、鉄などの強磁性体で構成される棒状治具に落し蓋を磁力で引き付けて取り出すこともできる。落し蓋が磁力で引き付けられやすくするために、図５に示すような、シャフトＰの遠位端に強磁性体からなる円盤体Ｄが取り付けられた構造の棒状治具が好ましい。また、薬剤による腐食等を防ぐために円盤体Ｄには防食コートが施されていることが好ましい。シャフトＰは塩化ビニル樹脂などの薬剤に耐性を有する材料で作製するか、または防食コートを施すことが好ましい。図５に示した棒状治具は、シャフトＰの近位端に吊り下げ可能な環Ｈが取り付けてあり、棒状治具を使用しないときに所定の保管場所、例えば、薬剤溶解器本体の脇など、に吊り下げておくことができる。
【００２３】
薬剤溶解器本体１は薬剤装填容器２の下方に設けられ、固形薬剤１１が溶解することによって得られる薬液を貯留できる構造をなしている。なお、図１に示す薬剤溶解器Ｓでは、薬剤溶解器本体を支える台９が設けられている。
薬剤溶解器本体１には、供給管３と、排出管５と、ドレーン管（図示せず）とが取り付けられている。
【００２４】
供給管３は、水を外部から薬剤溶解器本体に供給するためのものである。図１に示す供給管出口４は、薬剤溶解器本体内において上向きに取り付けられており、水を供給すると水が上向きに噴出するようになっている。供給管出口４に目皿やスプレーノズル等を設けて、噴出する水が上向きに広げて散水または噴霧されるようにしてもよい。本発明においては、水が上向きに噴出されるようにすることが薬剤の溶解量を一定にするために特に好ましい。図１に示す薬剤溶解器では、噴出水を薬剤装填容器内の固形薬剤に触れる高さまで噴き上げることが好ましい。薬剤の溶解量は固形薬剤に触れた水の量にほぼ比例するので、例えば、供給管の途中に流量計１０などを設けて、噴出水の量を調節することが好ましい。図１には供給管出口が２つ示されているがこれに限定されず、薬剤装填容器の数や大きさ等に応じて、供給管出口の数は適宜選択できる。なお、固形薬剤が水で溶解し順繰りに下方に移動するようになるのであれば、水の供給方向、供給位置などは、図１に示すものに限定されない。
【００２５】
供給管出口から噴出した水に触れた固形薬剤は、該水によって一部が溶けて薬液になる。該薬液は、重力によって、薬剤装填容器から薬剤溶解器本体内に落下し、貯留される。固形薬剤は図３（ａ）のように薬剤装填容器内に垂直方向に積み重ねて装填されている。なお、図３（ａ）では固形薬剤が垂直方向に並べて積み重ねられているが、ブリッジを形成しない方法であれば、固形薬剤をランダムに積み重ねてもよい。そして、噴出水によって固形薬剤の最底部が溶解浸食していくと、上部の固形薬剤が順繰りに下方に移動し図３（ｂ）のような状態になっていく。図１に示す薬剤溶解器では、固形薬剤が水に漬かっていないので、固形薬剤の膨潤が抑制され、膨潤による薬剤の崩壊流出が防止される。また、固形薬剤が順繰りに下方に移動するので、ブリッジ形成による溶解停止が阻止できる。このようにして、薬液の濃度を一定にすることができるのである。
【００２６】
排出管５は、薬液を薬剤溶解器本体から外部に排出するためのものである。排出管５の取り付け位置は特に限定されないが、通常、排出管５の入口６が供給管３の出口４よりも低い位置である。また、容器本体内の圧力変動、薬液の液面の異常上昇を抑えるために、排出管５の入口６は薬剤溶解器本体のできるだけ低い位置に取り付けることが好ましい。例えば、排出管５の入口６は薬剤溶解器本体の高さの半分の位置より下の位置に取り付けられる。
【００２７】
本発明においては、薬剤溶解器本体に貯留された薬液の液面が供給管出口４よりも低い位置に維持されるようにすることが好ましい。薬液の液面が供給管出口４より高い位置になると供給管出口４での水の上向き噴出高さが低くなり固形薬剤の溶解が十分に為されなくなるおそれがある。薬液の液面は、薬剤溶解器本体内に係る圧力が高くなるに随って、また固形薬剤が溶解するに随って上昇する。したがって、薬剤溶解器本体内に想定最大圧力が掛かり且つ固体薬剤が全て溶解しきった状態において想定される薬液の液面が、供給管出口４を超えない位置に供給管出口４を設けることが好ましい。
すなわち、図４に示す、排出管入口６の位置よりも上部の容積（Ｖ）および供給管出口４の位置よりも上部の容積（Ｖ1）と、装填される固形薬剤の最大体積（ＶD）とが、主配管の上流部と主配管の下流部との差圧ｘ［ａｔｍ］に対して、薬剤溶解器の使用温度範囲において、（Ｖ−ＶD）／（１＋ｘ）−ＶD＞Ｖ1  の関係が満たされるように薬剤溶解器を設計することが好ましい。なお、装填される固形薬剤の最大体積（ＶD）とは、薬剤装填容器に装填できる固形薬剤の総体積の最大値である。
【００２８】
例えば、５０Ｌの薬剤溶解器本体内の想定最大圧力０．２ＭＰａの設計で、１錠あたり１２５ｃｃの薬剤２０錠を装填した場合には、大気圧約０．１ＭＰａにおいて、溶解器本体内の５０Ｌの空間が約１３．３Ｌまで減少する、すなわち約３６．７Ｌの体積に相当する水が増えて、容器本体内の水位が上昇することが想定される。供給管出口４はこの想定される水位上昇が起きた場合でも薬液の液面の上にあるように設ける。
【００２９】
ドレーン管は、薬液を薬剤溶解器本体から外部に排出するためのものである。薬剤溶解器の通常使用時には、ドレーン管は通常閉めている。排出管の閉塞や、供給管からの水の供給過多などによって薬剤溶解器本体１内の薬液の液面が異常上昇し溢水しそうになった時や、薬剤溶解器内を清掃する時などにドレーン管を開いて薬液を外部に排出できる。なお、本発明において、ドレーン管は必要に応じて設けることができ、前記排出管５と兼ねたものであってもよい。
【００３０】
前記の薬剤溶解器Ｓの供給管３を主配管の上流部１５に、薬剤溶解器の排出管５を該主配管の下流部１６に接続することによって、薬液供給装置を構成することができる。当該薬液供給装置は、生活排水、産業排水、プール循環水、浴場循環湯などの水の雑菌消毒処理等に利用できる。主配管から分岐して流れる水量を調整するために、供給管３の途中に弁と流量計とを設けることができ、また排出管５の途中にポンプを設けることができる。供給管３の途中に設けられた弁は、手動で開閉することができるものであってもよいし、水中の薬剤濃度（例えば、塩素濃度など）を測定する手段や時間を測定する手段からの信号によって開閉制御できるものであってもよい。
【００３１】
前記薬液供給装置では、図２に示すように、主配管の上流部１５と主配管の下流部１６との間に、ろ過装置Ｆと前記薬剤溶解器Ｓとを並列に取り付けることができる。ろ過装置Ｆのヘッド損失が薬剤溶解器Ｓのヘッド損失よりも大きい場合には、ろ過装置Ｆのヘッド損失Δｐによって、薬剤溶解器から薬液を、排出管５の途中にポンプを設けること無しで、排出できるようになる。
【００３２】
本発明の薬剤溶解器によれば、下部の固形薬剤が溶解浸食しても形が崩れず、下部の固形薬剤の溶解浸食に伴って上部の固形薬剤が順繰りに下方に移動するので、一定量の薬剤が溶解できるようになり、一定濃度の薬液を安定して供給できる。また、本発明の薬剤溶解器によれば、固形薬剤の最上部に、固形薬剤が下方へ移動するに伴って移動する、取り外し可能な落し蓋が設置されており、薬剤装填容器の下部には、該落し蓋を検知する磁気型近接センサが設置されているので、固形薬剤の殆どが消費されると、落し蓋は薬剤装填容器の下部まで移動し、該落し蓋を磁気型近接センサが検知することによって、薬剤の補給時期を正確に検知することができる。更に、本発明の薬剤溶解器は供給管からの水の供給が途絶えたとき（例えば、弁が閉の時など）には、固形薬剤の溶解が実質的に止まるので、その停止期間において薬液溶解器本体に貯留された薬液の濃度が上昇せず、供給管からの水の供給が再開したとき（例えば、弁が開になった当初など）に、高濃度の薬液が薬剤溶解器から排出されることがない。
【符号の説明】
【００３３】
１：薬剤溶解器本体    ；  ２：薬剤装填容器    ；  ３：供給管    ；
４：供給管出口    ；  ５：排出管    ；  ６：排出管入口    ；  ８：薬筒    ；
９：固定台    ；  １０：流量計    ；  １４：外蓋    ；  Ａ：落し蓋    ；
Ｂ：磁気型近接センサ    ；  Ｆ：ろ過装置    ；  Ｓ：薬剤溶解器    ；
ｐｉ：主配管上流部の水圧    ；  ｐｏ：主配管下流部の水圧    ；
Δｈ：供給管出口と排出管入口のヘッド差    ；  １１：固形薬剤
【図１】
2013240778.tif 000003
【図２】
2013240778.tif 000004
【図３】
2013240778.tif 000005
【図４】
2013240778.tif 000006
【図５】
2013240778.tif 000007